(57)【要約】【課題】LTE-Advanced対応端末とLTE-Advanced非対応端末とが存在する場合において、LTE-Advanced非対応端末におけるスループットを向上させること。【解決手段】通信装置１００は、基地局との間で用いられる通信システムで使用可能な帯域幅の中の一部の帯域幅を分割した複数の異なるコンポーネントキャリア（ＣＣ）にマッピングされて送信された、自分の周辺に存在するLTE-Advanced非対応端末宛のデータを受信する。リソースマッピング部１１９は、中継制御情報解読部１１２から入力した解読結果が転送を開始することを要求する中継開始要求である場合には、複数のＣＣにマッピングされているデータを、単一のＣＣに再マッピングする。通信装置１００は、単一の帯域に再マッピングしたデータをLTE-Advanced非対応端末に転送する。【選択図】図３
2013126156.tif 000002
【特許請求の範囲】
【請求項１】
基地局との間で用いられる通信システムで使用可能な帯域幅の中の一部の帯域幅を分割した複数の異なる帯域にマッピングされて前記基地局より送信された、自分の周辺に存在する端末装置宛のデータを受信する受信手段と、
前記端末装置宛のデータの前記端末装置への転送を前記基地局より要求された場合に、前記受信手段により受信した前記複数の異なる帯域にマッピングされているデータを、単一の帯域に再マッピングする再マッピング手段と、
前記再マッピング手段により前記単一の帯域に再マッピングしたデータを前記端末装置に転送する転送手段と、
を具備する通信装置。
【請求項２】
前記再マッピング手段は、単一の帯域に再マッピングしたデータを転送する際の送信電力を所定量小さくする
請求項１記載の通信装置。
【請求項３】
前記転送手段は、前記再マッピング手段により単一の帯域に再マッピングしたデータを転送する際に、前記端末装置に対して指向性を向けて送信する
請求項１記載の通信装置。
【請求項４】
前記受信手段により受信した前記複数の異なる帯域にマッピングされているデータを復調及び復号する復調及び復号手段と、
前記復調及び復号手段により復号した前記複数の異なる帯域にマッピングされているデータを符号化するとともに、前記符号化の際の符号化率を所定の符号化率よりも大きくする符号化手段と、
をさらに具備し、
前記再マッピング手段は、前記符号化手段により符号化された前記複数の異なる帯域にマッピングされているデータを単一の帯域に再マッピングする
請求項１記載の通信装置。
【請求項５】
前記受信手段により受信した前記複数の異なる帯域にマッピンされているデータを復調及び復号する復調及び復号手段と、
前記復調及び復号手段により復号した前記複数の異なる帯域にマッピングされているデータを変調するとともに、前記変調の際の変調多値数を所定の変調多値数よりも大きくする変調手段と、
をさらに具備し、
前記再マッピング手段は、前記変調手段により変調された前記複数の異なる帯域にマッピングされているデータを単一の帯域に再マッピングする
請求項１記載の通信装置。
【請求項６】
基地局との間で用いられる通信システムで使用可能な帯域幅の中の一部の帯域幅を分割した複数の異なる帯域にマッピングされて前記基地局より送信された、自分の周辺に存在する端末装置宛のデータを受信するステップと、
前記端末装置宛のデータの前記端末装置への転送を前記基地局より要求された場合に、受信した前記複数の異なる帯域にマッピングされているデータを、単一の帯域に再マッピングするステップと、
前記単一の帯域に再マッピングしたデータを前記端末装置に転送するステップと、
を具備するデータ転送方法。
【発明の詳細な説明】
【技術分野】
【０００１】
本発明は、LTE（Long Term Evolution）-Advanced対応端末とLTE-Advanced非対応端末とが存在するシステムに用いられる通信装置及びデータ転送方法に関する。
【背景技術】
【０００２】
LTE-Advancedでは、LTEにおいて使用可能な周波数帯域の単位であるＣＣ（Component Carrier）を、複数割り当てるＣＡ（Carrier Aggregation）技術の検討が行われている（例えば、特許文献１）。
【０００３】
図１は、LTEにおけるＣＣを示す図である。図２は、LTE-AdvancedにおけるＣＡを示す図である。LTEでは、図１に示すように、単一のＣＣ＃１に下りデータをマッピングして端末に送信される。LTE-Advancedでは、図２に示すように、複数の異なるＣＣ＃２〜＃ｎの各々に下りデータをマッピングして端末に送信される。これにより、LTE-Advancedでは、使用可能な周波数帯域を広げることができるとともに、より高速な通信を行うことができ、スループットを向上させることができる。
【先行技術文献】
【特許文献】
【０００４】
【特許文献１】国際公開第２０１０／０６４５２１号
【発明の概要】
【発明が解決しようとする課題】
【０００５】
しかしながら、従来の装置においては、LTEにのみ対応し、LTE-Advanced非対応の端末へは、ＣＡ技術により複数のＣＣを割り当てることは不可能である。従って、LTE-Advanced非対応の端末においては、スループットを向上させることができないという問題がある。
【０００６】
本発明の目的は、LTE-Advanced対応端末とLTE-Advanced非対応端末とが存在する場合において、LTE-Advanced非対応端末におけるスループットを向上させることができる通信装置及びデータ転送方法に関する。
【課題を解決するための手段】
【０００７】
本発明の通信装置は、基地局との間で用いられる通信システムで使用可能な帯域幅の中の一部の帯域幅を分割した複数の異なる帯域にマッピングされて前記基地局より送信された、自分の周辺に存在する端末装置宛のデータを受信する受信手段と、前記端末装置宛のデータの前記端末装置への転送を前記基地局より要求された場合に、前記受信手段により受信した前記複数の異なる帯域にマッピングされているデータを、単一の帯域に再マッピングする再マッピング手段と、前記再マッピング手段により前記単一の帯域に再マッピングしたデータを前記端末装置に転送する転送手段と、を具備する構成を採る。
【０００８】
本発明のデータ転送方法は、基地局との間で用いられる通信システムで使用可能な帯域幅の中の一部の帯域幅を分割した複数の異なる帯域にマッピングされて前記基地局より送信された、自分の周辺に存在する端末装置宛のデータを受信するステップと、前記端末装置宛のデータの前記端末装置への転送を前記基地局より要求された場合に、受信した前記複数の異なる帯域にマッピングされているデータを、単一の帯域に再マッピングするステップと、前記単一の帯域に再マッピングしたデータを前記端末装置に転送するステップと、を具備するようにした。
【発明の効果】
【０００９】
本発明によれば、LTE-Advanced対応端末とLTE-Advanced非対応端末とが存在する場合において、全ての端末においてスループットを向上させることができる。
【図面の簡単な説明】
【００１０】
【図１】LTEにおけるＣＣを示す図
【図２】LTE-AdvancedにおけるＣＡを示す図
【図３】本発明の実施の形態１に係る通信装置の構成を示すブロック図
【図４】本発明の実施の形態１における基地局の構成を示すブロック図
【図５】本発明の実施の形態１における通信装置及び基地局の動作を示すシーケンス図
【図６】本発明の実施の形態１における再マッピングの方法を示す図
【図７】本発明の実施の形態２に係る通信装置の構成を示すブロック図
【図８】本発明の実施の形態３に係る通信装置の構成を示すブロック図
【発明を実施するための形態】
【００１１】
以下、本発明の実施の形態について、図面を参照して詳細に説明する。
【００１２】
（実施の形態１）
＜通信装置の構成＞
図３は、本発明の実施の形態１に係る通信装置１００の構成を示すブロック図である。通信装置１００は、LTE-Advanced対応端末である。
【００１３】
アンテナ１０１は、信号を受信してＲＦ部１０２に出力する。ここで受信される信号は、基地局との間で用いられる通信システムで使用可能な帯域幅の中の一部の帯域幅を分割した複数の異なる帯域であるＣＣにマッピングされて基地局より送信された、通信装置１００の周辺に存在するLTE-Advanced非対応端末宛のデータを含む。
【００１４】
ＲＦ部１０２は、アンテナ１０１から入力した受信信号をダウンコンバートして同期部１０３に出力する。
【００１５】
同期部１０３は、ＲＦ部１０２から入力した受信信号を用いて同期処理を行い、同期処理後の受信信号をＧＩ除去部１０４に出力する。
【００１６】
ＧＩ除去部１０４は、同期部１０３から入力した受信信号からガードインターバル（GI; Guard Interval）を除去する。ＧＩ除去部１０４は、ガードインターバルを除去した受信信号をＦＦＴ部１０５に出力する。
【００１７】
ＦＦＴ部１０５は、ＧＩ除去部１０４から入力した受信信号を高速フーリエ変換（ＦＦＴ）してリソースデマッピング部１０６に出力する。
【００１８】
リソースデマッピング部１０６は、ＦＦＴ部１０５から入力した受信信号に含まれるリファレンス信号（ＲＳ信号）を抽出して回線品質測定部１０７に出力する。リソースデマッピング部１０６は、ＦＦＴ部１０５から入力した受信信号より周波数成分を抽出してデータ復調部１０９に出力する。具体的には、リソースデマッピング部１０６は、受信信号より周波数成分としてサブキャリア（リソースエレメント）またはリソースブロックを抽出する。
【００１９】
回線品質測定部１０７は、リソースデマッピング部１０６から入力した受信信号（リファレンス信号：RS）を用いて回線品質を測定し、測定結果を回線品質報告部１０８に出力する。
【００２０】
回線品質報告部１０８は、回線品質測定部１０７から入力した回線品質の測定結果を含む回線品質情報を生成し、生成した回線品質情報を誤り訂正符号化部１１５に出力する。ここで、回線品質情報は、通信装置１００を他の通信装置と識別する識別情報を含む。
【００２１】
データ復調部１０９は、リソースデマッピング部１０６から入力した受信信号を復調して誤り訂正復号部１１０に出力する。
【００２２】
誤り訂正復号部１１０は、データ復調部１０９から入力した受信信号に対して誤り訂正復号を施して復号データを生成し、生成した復号データを切替部１１１に出力する。なお、誤り訂正復号部１１０はレートデマッチ機能も有しているが、その説明は省略する。
【００２３】
切替部１１１は、転送制御部１１７の制御に従って、誤り訂正復号部１１０から入力した復号データの中継制御情報解読部１１２への出力と、切替部１１４への出力とを切り替える。即ち、切替部１１１は、端子１１１ａと端子１１１ｃとを接続することにより、誤り訂正復号部１１０から入力した復号データを中継制御情報解読部１１２に出力する。また、切替部１１１は、端子１１１ａと端子１１１ｂとを接続することにより、誤り訂正復号部１１０から入力した復号データを切替部１１４に出力する。
【００２４】
中継制御情報解読部１１２は、切替部１１１から入力した復号データを解読して、解読結果を転送制御部１１７に出力する。中継制御情報解読部１１２は、切替部１１１から入力した復号データに転送先ＩＤが含まれている場合には転送先ＩＤを抽出し、抽出した転送先ＩＤを転送制御部１１７に出力する。転送先ＩＤは、例えば基地局から送信される転送開始要求に含まれている。
【００２５】
送信データ生成部１１３は、送信データを生成して切替部１１４に出力する。
【００２６】
切替部１１４は、転送制御部１１７の制御に従って、送信データ生成部１１３から入力した送信データの誤り訂正符号化部１１５への出力と、切替部１１１から入力した復号データの誤り訂正符号化部１１５への出力とを切り替える。即ち、切替部１１４は、端子１１４ａと端子１１４ｃとを接続することにより、送信データ生成部１１３から入力した送信データを誤り訂正符号化部１１５に出力する。また、切替部１１４は、端子１１４ｂと端子１１４ｃとを接続することにより、切替部１１１から入力した復号データを誤り訂正符号化部１１５に出力する。
【００２７】
誤り訂正符号化部１１５は、切替部１１４から入力した送信データ若しくは復号データ、回線品質報告部１０８から入力した回線品質情報、または位置情報生成部１２６から入力した位置情報に対して誤り訂正符号化処理を施して符号化データを生成する。誤り訂正符号化部１１５は、生成した符号化データをデータ変調部１１６に出力する。ここで、復号データは、転送先のLTE-Advanced非対応端末に送信するデータであり、回線品質情報及び位置情報は、基地局２００に送信する情報である。また、誤り訂正符号化部１１５はレートマッチ機能も有しているが、その説明は省略する。
【００２８】
データ変調部１１６は、誤り訂正符号化部１１５から入力した符号化データを変調して変調信号を生成し、生成した変調信号をリソースマッピング部１１９に出力する。
【００２９】
転送制御部１１７は、中継制御情報解読部１１２から入力した解読結果に基づいて、切替部１１１または切替部１１４を切り替え制御する。
【００３０】
具体的には、転送制御部１１７は、中継制御情報解読部１１２から入力した解読結果が転送を開始することを要求する中継開始要求である場合には、端子１１１ａと端子１１１ｂとを接続するように切替部１１１を制御するとともに、端子１１４ｂと端子１１４ｃとを接続するように切替部１１４を制御する。また、転送制御部１１７は、中継制御情報解読部１１２から入力した解読結果が中継を終了することを要求する中継終了要求である場合には、端子１１１ａと端子１１１ｃとを接続するように切替部１１１を制御するとともに、端子１１４ａと端子１１４ｃとを接続するように切替部１１４を制御する。
【００３１】
転送制御部１１７は、中継制御情報解読部１１２から転送先ＩＤが入力した際に、入力した転送先ＩＤを制御情報生成部１１８に出力する。転送制御部１１７は、転送を開始する場合には、LTEで使用するために用意された単一のＣＣ内の全周波数リソースにマッピングするようにリソースマッピング部１１９を制御する。ここで、転送制御部１１７は、ＦＤＭ（Frequency Division Multiplexing）方式の場合、転送先のLTE-Advanced非対応端末に送信を行う際には、アップコンバート後のキャリア周波数をダウンリンク用のものに切り替えることをＲＦ部１２２に指示する。
【００３２】
制御情報生成部１１８は、転送制御部１１７から入力した転送先ＩＤを含む制御情報を生成してリソースマッピング部１１９に出力する。
【００３３】
再マッピング手段であるリソースマッピング部１１９は、データ変調部１１６から入力した変調信号が転送先のLTE-Advanced非対応端末に送信するデータの変調信号である場合に、転送制御部１１７の制御に従って、データ変調部１１６から入力した変調信号を単一のＣＣにマッピングする。即ち、リソースマッピング部１１９は、データ変調部１１６から入力した変調信号が転送先のLTE-Advanced非対応端末に送信するデータの変調信号である場合に、データ変調部１１６から入力した変調信号を、LTEで使用するために用意された単一のＣＣ内の全周波数リソースにマッピングする。この際、リソースマッピング部１１９は、制御情報生成部１１８から入力した制御情報を含むようにマッピングする。リソースマッピング部１１９は、データ変調部１１６から入力した変調信号が転送先のLTE-Advanced非対応端末に送信するデータの変調信号である場合に、所定の送信電力Ｐよりも所定量Δｐ小さい送信電力（Ｐ−Δｐ）で送信されるようにマッピングを行う。ここで、所定の送信電力Ｐとは、例えば予め設定されている送信電力である。
【００３４】
リソースマッピング部１１９は、データ変調部１１６から入力した変調信号が基地局２００に送信するデータの変調信号である場合に、適切な周波数（サブキャリアまたはリソースブロック）にマッピングする。なお、リソースマッピング部１１９は、ＤＦＴ（Discrete Fourier Transform）機能も有しており、基地局２００に送信する信号に対しては、マッピングの前に変調信号に対してＤＦＴ処理を行う。一方、リソースマッピング部１１９は、転送先のLTE-Advanced非対応端末に送信する信号に対しては、ＤＦＴ処理は実施しない。
【００３５】
リソースマッピング部１１９は、マッピングした変調信号をＩＦＦＴ部１２０に出力する。なお、転送先のLTE-Advanced非対応端末に転送するデータのマッピングの方法については後述する。
【００３６】
ＩＦＦＴ部１２０は、リソースマッピング部１１９から入力した変調信号を逆高速フーリエ変換（ＩＦＦＴ）してＧＩ挿入部１２１に出力する。
【００３７】
ＧＩ挿入部１２１は、ＩＦＦＴ部１２０から入力した信号にガードインターバルを挿入してＲＦ部１２２に出力する。
【００３８】
ＲＦ部１２２は、ＧＩ挿入部１２１から入力した信号をアップコンバートしてアンテナ１２３に出力する。ここで、ＲＦ部１２２は、ＦＤＭ（Frequency Division Multiplexing）方式の場合、転送先のLTE-Advanced非対応端末に送信を行う際には、転送制御部１１７の指示によりアップコンバート後のキャリア周波数をダウンリンク用のものに切り替える。
【００３９】
アンテナ１２３は、ＲＦ部１２２から入力した信号を送信する。
【００４０】
アンテナ１２４は、ＧＰＳ衛星からの信号を受信してＧＰＳ受信部１２５に出力する。
【００４１】
ＧＰＳ受信部１２５は、アンテナ１２４から入力した受信信号を解析して現在位置を特定し、特定した現在位置を位置情報生成部１２６に出力する。
【００４２】
位置情報生成部１２６は、ＧＰＳ受信部１２５から入力した現在位置を示す位置情報を生成し、生成した位置情報を誤り訂正符号化部１１５に出力する。
【００４３】
＜基地局の構成＞
図４は、本発明の実施の形態１における基地局２００の構成を示すブロック図である。
【００４４】
アンテナ２０１は、信号を受信してＲＦ部２０２に出力する。
【００４５】
ＲＦ部２０２は、アンテナ２０１から入力した信号ダウンコンバートしてリソースデマッピング部２０３に出力する。なお、ダウンコンバート処理とリソースデマッピング処理との間に、同期処理、ＧＩ除去、ＦＦＴ処理等も必要だが、これらの処理はＲＦ部２０２で行っても良いし、リソースデマッピング部２０３で行っても良い。
【００４６】
リソースデマッピング部２０３は、ＲＦ部２０２から入力した受信信号より、ユーザ毎（通信装置１００毎）に対応する周波数成分（サブキャリアまたはリソースブロック）を抽出して復調部２０４に出力する。
【００４７】
復調部２０４は、リソースデマッピング部２０３から入力した受信信号の復調処理を行って復調信号を生成し、生成した復調信号を誤り訂正復号部２０５に出力する。
【００４８】
誤り訂正復号部２０５は、復調部２０４から入力した復調信号に対して誤り訂正復号を施して復号データを生成し、生成した復号データを端末位置情報解読部２０６に出力する。
【００４９】
端末位置情報解読部２０６は、誤り訂正復号部２０５から入力した復号データを解析して、TE-Advanced対応端末である通信装置１００及びLTE-Advanced非対応端末の位置情報を取得する。端末位置情報解読部２０６は、取得した位置情報に基づいて、LTE-Advanced対応端末である通信装置１００及びLTE-Advanced非対応端末の位置を特定する。端末位置情報解読部２０６は、特定した位置を中継制御部２０８に出力する。端末位置情報解読部２０６は、誤り訂正復号部２０５から入力した復号データを解析して回線品質情報を取得し、取得した回線品質情報をスケジューラ２０７に出力する。
【００５０】
なお、端末位置情報解読部２０６は、各端末より受信したリファレンス信号を、リソースデマッピング部２０３から取得し、これを用いて到来方向推定及び伝搬距離推定を行い、各端末の位置を推定してもよい。この場合、各端末におけるアンテナ１２４、ＧＰＳ受信部１２５及び位置情報生成部１２６は、構成上必須ではない。
【００５１】
スケジューラ２０７は、端末位置情報解読部２０６から入力した回線品質情報に基づいてスケジューリングを行う。スケジューラ２０７は、スケジューリングに基づいて、中継制御部２０８またはリソースマッピング部２１２を制御する。
【００５２】
中継制御部２０８は、LTE-Advanced非対応端末に対して送信する送信データ量を送信データ生成部２０９から取得し、送信データ量が閾値以上のLTE-Advanced非対応端末に対して中継開始を決定する。中継制御部２０８は、中継開始を決定した場合に、端末位置情報解読部２０６から入力した通信装置１００及びLTE-Advanced非対応端末の位置に基づいて、中継開始を決定したLTE-Advanced非対応端末の周辺に存在する通信装置１００を中継局として選択する。中継制御部２０８は、送信データ生成部２０９に対して、選択した中継局に対して中継開始要求を送信するための指示を行う。
【００５３】
中継制御部２０８は、中継開始要求を送信するための指示を行った後、送信データ生成部２０９において送信するデータがなくなった場合に、送信データ生成部２０９に対して、中継終了要求を送信するための指示を行う。
【００５４】
送信データ生成部２０９は、ユーザ毎に送信データを生成して誤り訂正符号化部２１０に出力する。送信データ生成部２０９は、中継制御部２０８から中継開始要求を送信する指示を受けた場合に、中継開始要求を生成して誤り訂正符号化部２１０に出力する。送信データ生成部２０９は、中継制御部２０８から中継終了要求を送信する指示を受けた場合に、中継終了要求を生成して誤り訂正符号化部２１０に出力する。
【００５５】
誤り訂正符号化部２１０は、送信データ生成部２０９から入力した送信データ、中継開始要求または中継終了要求に対して誤り訂正符号化を施して符号化データを生成し、生成した符号化データをデータ変調部２１１に出力する。なお、誤り訂正符号化部２１０はレートマッチ処理も行うが、その説明は省略する。
【００５６】
データ変調部２１１は、誤り訂正符号化部２１０から入力した符号化データを変調して変調信号を生成し、生成した変調信号をリソースマッピング部２１２に出力する。
【００５７】
リソースマッピング部２１２は、スケジューラ２０７の制御に従って、データ変調部２１１から入力した変調信号を適切な周波数（サブキャリアまたはリソースブロック）にマッピングする。リソースマッピング部２１２は、マッピングした信号をＲＦ部２１３に出力する。なお、リソースマッピング処理とアップコンバート処理との間に、ＩＦＦＴ処理及びＧＩ挿入処理等も必要だが、これらの処理はリソースマッピング部２１２で行っても良いし、ＲＦ部２１３で行っても良い。
【００５８】
ＲＦ部２１３は、リソースマッピング部２１２から入力した信号をアップコンバートしてアンテナ２１４に出力する。
【００５９】
アンテナ２１４は、ＲＦ部２１３から入力した信号を送信する。
【００６０】
＜通信装置及び基地局の動作＞
図５は、本発明の実施の形態１における通信装置１００及び基地局２００の動作を示すシーケンス図である。なお、図５において、LTE-Advanced対応端末は、通信装置１００と同一構成であるので、通信装置１００と同一符号を付して説明する。また、図５及び図５を用いた説明において、LTE-Advanced対応端末をLTE-A端末と記載し、LTE-Advanced非対応端末（LTE対応端末）をLTE端末と記載する。
【００６１】
まず、複数のLTE-A端末１００またはLTE端末３００から、基地局２００に対して周期的に位置情報が通知される（ステップＳＴ５０１及びステップＳＴ５０２）。なお、位置情報は、LTE-A端末１００またはLTE端末３００が、ＧＰＳ等を用いて取得したものであってもよいし、基地局２００が到来方向推定及び伝播遅延量に基づいて推定しても良い。
【００６２】
次に、基地局２００は、LTE端末３００から通信開始要求を受ける（ステップＳＴ５０３）。なお、図５では、LTE端末３００から基地局２００に対して通信開始要求を行う例を示しているが、基地局２００がLTE端末３００に対して通信開始を要求してもよい。
【００６３】
次に、基地局２００は、中継制御部２０８において、LTE端末３００との通信を開始する必要がある場合、ステップＳＴ５０１及びステップＳＴ５０２において取得した位置情報に基づいて、通信を開始するLTE端末３００の近くに存在し、かつ現在通信中ではないLTE-A端末１００を中継局として選択する（ステップＳＴ５０４）。なお、基地局２００は、LTE端末３００へ送信するデータ量が閾値以上の場合にのみ、中継を行う中継局を選択するようにしてもよい。
【００６４】
また、基地局２００は、中継局として選択したLTE-A端末１００に対して、中継開始要求を送信する（ステップＳＴ５０５）。中継開始要求には、転送先のLTE端末３００の端末情報（ＩＤまたはＲＮＴＩ（Radio Network Temporary Identity）等）が転送先ＩＤとして含まれている。
【００６５】
中継局として選ばれたLTE-A端末１００は、基地局２００へ中継開始応答を返す（ステップＳＴ５０６）。
【００６６】
次に、基地局２００は、スケジューラ２０７において、LTE-A端末１００に対して、ＣＡを用いたスケジューリングを行い（ステップＳＴ５０７）、広帯域で下り送信（ＣＡ送信）を行う（ステップＳＴ５０８）。
【００６７】
次に、中継局であるLTE-A端末１００は、基地局２００から受けた信号をデータ復調部１０９において復調する。そして、LTE-A端末１００は、リソースマッピング部１１９において、単一のＣＣの全リソースへ下りデータを再マッピングし（ステップＳＴ５０９）、転送先のLTE端末３００へ送信（単一ＣＣ送信）する（ステップＳＴ５１０）。この際、LTE-A端末１００は、送信電力を所定量小さく設定する。また、LTE-A端末１００は、LTE端末３００がデータ復調を行うために使用するヘッダなどの制御情報を生成する際に、転送先の端末情報を転送先ＩＤとして使用する。この処理（ステップＳＴ５０７〜ステップＳＴ５１０の処理）を通信が終了するまで繰り返す。
【００６８】
通信が終了した場合、基地局２００は、中継局のLTE-A端末１００へ中継終了要求を送信する（ステップＳＴ５１１）。
【００６９】
次に、中継局であるLTE-A端末１００は、基地局２００へ中継終了応答を返す（ステップＳＴ５１２）。
【００７０】
＜再マッピングについて＞
図６は、再マッピングの方法を示す図である。なお、図６において、LTE-Advanced対応端末は、通信装置１００と同一構成であるので、通信装置１００と同一符号を付して説明する。また、図６及び図６を用いた説明において、LTE-Advanced対応端末をLTE-A端末と記載し、LTE-Advanced非対応端末（LTE対応端末）をLTE端末と記載する。
【００７１】
LTE-A端末１００は、基地局２００との間で用いられる通信システム（ＬＴＥ）で使用可能な帯域幅の中の一部の帯域幅を分割した複数のＣＣ＃６０１〜＃６０３にマッピングされた下りデータＤ１〜Ｄ３を、基地局２００より受信する。ここでは、説明を簡単にするため、ＣＣの数を３として説明するが、ＣＣの数は必ずしも３である必要はない。この際、基地局２００から送信される下りデータＤ１〜Ｄ３は、各ＣＣ＃６０１〜＃６０３において、周波数リソースの一部が割り当てられている。
【００７２】
下りデータを受信したLTE-A端末１００は、リソースマッピング部１１９において、下りデータを単一のＣＣ＃６１０に再マッピングする。この際、再マッピングされた下りデータＤ４は、単一のＣＣ＃６１０において、周波数リソースの全部が割り当てられる。
【００７３】
＜本実施の形態の効果＞
本実施の形態によれば、LTE-Advanced対応端末において、LTE-Advanced非対応端末宛のデータを単一ＣＣの全リソースに再マッピングしてLTE-Advanced非対応端末に転送する。これにより、LTE-Advanced対応端末とLTE-Advanced非対応端末とが存在する場合において、LTE-Advanced非対応端末のスループットを向上させることができる。
【００７４】
また、本実施の形態によれば、LTE-Advanced非対応端末への転送の際に送信電力を低くするので、他の端末への与干渉を抑制することができる。
【００７５】
（実施の形態２）
図７は、本発明の実施の形態２に係る通信装置７００の構成を示すブロック図である。
【００７６】
図７に示す通信装置７００は、図３に示す実施の形態１に係る通信装置１００に対して、チャネル推定部７０１及び指向性形成部７０３を追加し、転送制御部１１７の代わりに転送制御部７０２を有し、リソースデマッピング部１０６の代わりにリソースデマッピング部７０４を有する。なお、図７において、図３と同一構成である部分には同一の符号を付してその説明を省略する。
【００７７】
ＲＦ部１０２は、アンテナ１０１から入力した受信信号をダウンコンバートして同期部１０３及に出力する。
【００７８】
チャネル推定部７０１は、転送制御部７０２からの指示に従って、リソースデマッピング部７０４から入力したリファレンス信号を用いて、データの転送先との間のチャネル推定を行い、推定結果を指向性形成部７０３に出力する。
【００７９】
ＧＩ挿入部１２１は、ＩＦＦＴ部１２０から入力した信号にガードインターバルを挿入して指向性形成部７０３に出力する。
【００８０】
指向性形成部７０３は、データの転送先に対して指向性を向けて送信するために、ＧＩ挿入部１２１から入力した信号に対して重み付けを行って指向性を設け、指向性を設けた信号をＲＦ部１２２に出力する。
【００８１】
ＲＦ部１２２は、指向性形成部７０３から入力した信号をアップコンバートしてアンテナ１２３に出力する。
【００８２】
転送制御部７０２は、転送を開始する場合には、チャネル推定部７０１に対して、転送先の端末との間のチャネル推定を行うように指示する。転送制御部７０２は、リソースデマッピング部７０４に対して、転送先の端末から受信したリファレンス信号を抽出し、チャネル推定部７０１へ渡すように指示する。なお、転送制御部７０２におけるその他の構成及び動作は転送制御部１１７と同様であるので、その説明を省略する。
【００８３】
ＦＦＴ部１０５は、ＧＩ除去部１０４から入力した受信信号を高速フーリエ変換（ＦＦＴ）してリソースデマッピング部７０４に出力する。
【００８４】
リソースデマッピング部７０４は、転送制御部７０２の指示に従って、ＦＦＴ部１０５から入力した受信信号に含まれるリファレンス信号を抽出してチャネル推定部７０１に出力する。なお、リソースデマッピング部７０４におけるその他の構成及び動作は上記実施の形態１と同様であるので、その説明を省略する。
【００８５】
データ復調部１０９は、リソースデマッピング部７０４から入力した受信信号を復調して誤り訂正復号部１１０に出力する。
【００８６】
切替部１１１は、転送制御部７０２の制御に従って、誤り訂正復号部１１０から入力した復号データの中継制御情報解読部１１２への出力と、切替部１１４への出力とを切り替える。なお、切替部１１１におけるその他の構成及び動作は上記実施の形態１と同様であるので、その説明を省略する。
【００８７】
中継制御情報解読部１１２は、切替部１１１から入力した復号データに転送先ＩＤが含まれている場合には転送先ＩＤを抽出し、抽出した転送先ＩＤを転送制御部７０２に出力する。なお、中継制御情報解読部１１２におけるその他の構成及び動作は上記実施の形態１と同様であるので、その説明を省略する。
【００８８】
切替部１１４は、転送制御部７０２の制御に従って、送信データ生成部１１３から入力した送信データの誤り訂正符号化部１１５への出力と、切替部１１１から入力した復号データの誤り訂正符号化部１１５への出力とを切り替える。なお、切替部１１４におけるその他の構成及び動作は上記実施の形態１と同様であるので、その説明を省略する。
【００８９】
制御情報生成部１１８は、転送制御部７０２から入力した転送先ＩＤを含む制御情報を生成してリソースマッピング部１１９に出力する。
【００９０】
リソースマッピング部１１９は、データ変調部１１６から入力した変調信号が転送先のLTE-Advanced非対応端末に送信するデータの変調信号である場合に、転送制御部７０２の制御に従って、データ変調部１１６から入力した変調信号を単一のＣＣにマッピングする。なお、リソースマッピング部１１９におけるその他の構成及び動作は上記実施の形態１と同様であるので、その説明を省略する。
【００９１】
ＲＦ部１２２は、転送制御部７０２の指示に従って、転送時のキャリア周波数をダウンリンク用のものに切り替える。なお、ＲＦ部１２２におけるその他の構成及び動作は上記実施の形態１と同様であるので、その説明を省略する。
【００９２】
なお、本実施の形態において、基地局は図４と同一構成であるので、その説明を省略する。また、本実施の形態において、通信装置及び基地局の動作は指向性送信する以外は上記実施の形態１と同様であるので、その説明を省略する。
【００９３】
このように、本実施の形態によれば、LTE-Advanced非対応端末への転送の際に指向性送信するので、他の端末への与干渉を更に抑制することができる。
【００９４】
（実施の形態３）
図８は、本発明の実施の形態３に係る通信装置８００の構成を示すブロック図である。
【００９５】
図８に示す通信装置８００は、図３に示す実施の形態１に係る通信装置１００に対して、転送制御部１１７の代わりに転送制御部８０１を有する。なお、図８において、図３と同一構成である部分には同一の符号を付してその説明を省略する。
【００９６】
転送制御部８０１は、転送を開始する場合には、所定の符号化率よりも大きい符号化率で符号化することを誤り訂正符号化部１１５に指示する。例えば、転送制御部８０１は、現在符号化率１／３で符号化している場合には、転送を開始する場合には、符号化率１／２で符号化を行うように誤り訂正符号化部１１５に指示する。ここで、所定の符号化率とは、例えば予め設定されている符号化率である。また、誤り訂正符号化部１１５はレートマッチ機能を有している。従って、符号化率は、誤り訂正符号化に関するものと、レートマッチに関するものとの、両方またはいずれか一方のものである。
【００９７】
転送制御部８０１は、転送を開始する場合には、所定の変調多値数よりも大きい変調多値数で変調することをデータ変調部１１６に指示する。例えば、転送制御部８０１は、現在１６ＱＡＭで変調している場合には、転送を開始する場合には、６４ＱＡＭで変調することをデータ変調部１１６に指示する。ここで、所定の変調多値数とは、例えば予め設定されている変調多値数である。なお、転送制御部８０１におけるその他の構成及び動作は転送制御部１１７と同様であるので、その説明を省略する。
【００９８】
切替部１１１は、転送制御部８０１の制御に従って、誤り訂正復号部１１０から入力した復号データの中継制御情報解読部１１２への出力と、切替部１１４への出力とを切り替える。なお、切替部１１１におけるその他の構成及び動作は上記実施の形態１と同様であるので、その説明を省略する。
【００９９】
中継制御情報解読部１１２は、切替部１１１から入力した復号データに転送先ＩＤが含まれている場合には転送先ＩＤを抽出し、抽出した転送先ＩＤを転送制御部８０１に出力する。なお、中継制御情報解読部１１２におけるその他の構成及び動作は上記実施の形態１と同様であるので、その説明を省略する。
【０１００】
切替部１１４は、転送制御部８０１の制御に従って、送信データ生成部１１３から入力した送信データの誤り訂正符号化部１１５への出力と、切替部１１１から入力した復号データの誤り訂正符号化部１１５への出力とを切り替える。なお、切替部１１４におけるその他の構成及び動作は上記実施の形態１と同様であるので、その説明を省略する。
【０１０１】
誤り訂正符号化部１１５は、切替部１１４から入力した送信データ若しくは復号データ、回線品質報告部１０８から入力した回線品質情報、または位置情報生成部１２６から入力した位置情報に対して誤り訂正符号化処理を施して符号化データを生成する。誤り訂正符号化部１１５は、生成した符号化データをデータ変調部１１６に出力する。この際、誤り訂正符号化部１１５は、転送制御部８０１の指示に従って、転送する復号データを符号化する際に、所定の符号化率よりも大きい符号化率で符号化する。
【０１０２】
データ変調部１１６は、誤り訂正符号化部１１５から入力した符号化データを変調して変調信号を生成し、生成した変調信号をリソースマッピング部１１９に出力する。この際、データ変調部１１６は、転送制御部８０１の指示に従って、転送するデータ信号に対して、現在の変調多値数よりも大きな変調多値数で変調する。
【０１０３】
制御情報生成部１１８は、転送制御部８０１から入力した転送先ＩＤを含む制御情報を生成してリソースマッピング部１１９に出力する。
【０１０４】
リソースマッピング部１１９は、データ変調部１１６から入力した変調信号が転送先のLTE-Advanced非対応端末に送信するデータの変調信号である場合に、転送制御部８０１の制御に従って、データ変調部１１６から入力した変調信号を単一のＣＣにマッピングする。なお、リソースマッピング部１１９におけるその他の構成及び動作は上記実施の形態１と同様であるので、その説明を省略する。
【０１０５】
ＲＦ部１２２は、転送制御部８０１の指示に従って、転送時のキャリア周波数をダウンリンク用のものに切り替える。なお、ＲＦ部１２２におけるその他の構成及び動作は上記実施の形態１と同様であるので、その説明を省略する。
【０１０６】
このように、本実施の形態によれば、LTE-Advanced非対応端末への転送の際に符号化率を高くするとともに変調多値数を大きくするので、単一のＣＣへの再マッピングを容易に実施することができるとともに、データの転送効率を向上させることができる。なお、通信装置と、転送先の端末との距離は近いため、符号化率や変調多値数を大きくしても、通信可能となる。
【０１０７】
なお、本実施の形態において、転送の際に、符号化率を大きくするとともに変調多値数を大きくしたが、本発明はこれに限らず、符号化率と変調多値数との何れか一方のみを大きくしてもよい。
【０１０８】
＜全ての実施の形態に共通の変形例＞
上記実施の形態１〜実施の形態３において、転送の際に、所定の送信電力よりも低い送信電力で送信したが、本発明はこれに限らず、所定の送信電力で送信してもよい。
【０１０９】
上記実施の形態１〜実施の形態３において、再マッピングの際に送信電力を低くしたが、本発明はこれに限らず、ＲＦ部における送信処理の際に送信電力を低くしてもよい。
【０１１０】
上記実施の形態１〜実施の形態３において、図示しないスクランブル部において、転送先ＩＤを用いてスクランブルコードを生成するようにしてもよい。
【０１１１】
上記実施の形態１〜実施の形態３において、転送を行う通信装置１００、７００および８００は、LTE-Advanced対応端末の他に、LTE-Advancedに対応した中継装置（Relay Node等）であってもよい。
【０１１２】
上記実施の形態１〜実施の形態３において、転送を行う通信装置１００、７００および８００がLTE-Advanced対応端末であった場合、中継中または中継後に、中継していること若しくは中継したことを、画面などの表示媒体、スピーカ若しくはＬＥＤ等を用いてユーザへ通知してもよい。
【産業上の利用可能性】
【０１１３】
本発明にかかる通信装置及びデータ転送方法は、LTE-Advanced対応端末とLTE-Advanced非対応端末とが存在するシステムに用いるのに好適である。
【符号の説明】
【０１１４】
１００  通信装置
１０１  アンテナ
１０２  ＲＦ部
１０３  同期部
１０４  ＧＩ除去部
１０５  ＦＦＴ部
１０６  リソースデマッピング部
１０７  回線品質測定部
１０８  回線品質報告部
１０９  データ復調部
１１０  誤り訂正復号部
１１１  切替部
１１２  中継制御情報解読部
１１３  送信データ生成部
１１４  切替部
１１５  誤り訂正符号化部
１１６  データ変調部
１１７  転送制御部
１１８  制御情報生成部
１１９  リソースマッピング部
１２０  ＩＦＦＴ部
１２１  ＧＩ挿入部
１２２  ＲＦ部
１２３  アンテナ
１２４  アンテナ
１２５  ＧＰＳ受信部
１２６  位置情報生成部
【図１】
2013126156.tif 000003
【図２】
2013126156.tif 000004
【図３】
2013126156.tif 000005
【図４】
2013126156.tif 000006
【図５】
2013126156.tif 000007
【図６】
2013126156.tif 000008
【図７】
2013126156.tif 000009
【図８】
2013126156.tif 000010